(57)【要約】      （修正有）【課題】  本考案は、アシストフックが道糸や疑似餌に絡みつきにくく、性能を十分に発揮できる疑似餌を提供することを目的とする。【解決手段】  疑似餌（ジグ）１は、合金鉛等の金属材料で形成されている細長いジグ本体２の前端部に、アシストフック１０と道糸１３とを取付ける環状部５が設けられており、ジグ本体２の側面２ａに、アシストフック１０の釣り針１１を吸着可能な永久磁石３を、ジグ本体２表面との段差をほぼ無くした状態で配設するとともに、前後方向に延びる２本の細長い棒状の部材４ａ（凸状部）を、これらの間に永久磁石３が位置した状態になるように並べて配置した釣り針保持部４を設け、釣り針１１を永久磁石３の吸引力によって釣り針保持部４に保持させる。【選択図】図３
0003108153.tif 000002
【実用新案登録請求の範囲】
【請求項１】
合金鉛等の金属材料で形成されている細長い本体の前端部に、道糸や一端部に釣り針が取付けられた釣り糸の他端部を取付ける環状部が設けられ、前記本体の少なくとも一面に、前記釣り針を吸着可能な磁性体が、前記本体表面との段差をほぼ無くした状態で配設されるとともに、前後方向に延びる細長い少なくとも２本の凸状部を、これらの間に前記磁性体の少なくとも一部が位置した状態になるように並べて配置した釣り針保持部が設けられており、前記釣り針を、前記磁性体の吸引力によって前記釣り針保持部に保持させることを特徴とする疑似餌。
【請求項２】
前記磁性体と前記釣り針保持部とが、前記本体の先端から中間部までの範囲に配設されていることを特徴とする請求項１記載の疑似餌。
【請求項３】
合金鉛等の金属材料で形成されている細長い本体の前端部に、道糸や一端部に釣り針が取付けられた釣り糸の他端部を取付ける環状部が設けられ、前記本体の少なくとも一面に、前記釣り針を吸着可能な磁性体が、前記本体表面との段差をほぼ無くした状態で配設されており、前記釣り糸の長さが、前記磁性体に吸引された前記釣り針が前記磁性体よりも前側に位置するように設定され、前記釣り針を、前記磁性体に吸引させその吸引力と前記釣り糸の張力とが釣合った状態で保持させることを特徴とする疑似餌。
【請求項４】
前記釣り糸が、前記釣り針が前記本体の先端から中間部までの範囲で保持されるような長さに設定されていることを特徴とする請求項３記載の疑似餌。
【請求項５】
合金鉛等の金属材料で形成されている細長い本体の前端部に、道糸や一端部に釣り針が取付けられた釣り糸の他端部を取付ける環状部が設けられ、前記本体の少なくとも一面に、前後方向に延設され前端部から後端部まで連続している細長い凸状部が設けられており、この凸状部の少なくとも一部が磁性体で構成され、前記釣り針が、前記磁性体の吸引力によって前記凸状部で保持されているか、或は前記磁性体の吸引力と前記釣り糸の張力との釣合いで保持されていることを特徴とする疑似餌。
【請求項６】
前記磁性体が、前記釣り針が前記本体の先端から中間部までの範囲で保持される位置に設けられていることを特徴とする請求項５記載の疑似餌。
【考案の詳細な説明】
【技術分野】
【０００１】
本考案は、魚が捕食する対象物に似せて作られ釣り針を取付けて使用される漁具で、水中に沈めた状態で道糸を操作することにより小魚のような動きを与え、魚食性の魚に喰いつかせて釣上げる疑似餌に関するものである。
【背景技術】
【０００２】
従来、ジグと呼ばれている、合金鉛でできた疑似餌に釣り針を取付けて水中に沈め、ロッドを上下に動かしたり（シャクリと呼ばれている）、リールを巻いたりすることで、小魚が泳いでいるように動かし、魚食性の魚を喰いつかせて釣上げるジギングと呼ばれる釣りが行なわれている。
【０００３】
この疑似餌は、合金鉛を魚のような形に形成して表面に魚の注意を引くように色付けや意匠を施した本体を有しており、本体の先端部と後端部とに、アイとも呼ばれる金属製の環状部が設けられているもので、先端側の環状部（フロントアイ）に、道糸およびアシストフックと呼ばれる糸付きの釣り針とを取付けて使用される。
【０００４】
アシストフックは、疑似餌の全長の約半分程度の長さを有するアラミド繊維で編まれたライン（釣り糸）の一端部に、一本針の釣り針（シングルフック）が取付けられたもので、ラインの他端部で環状部に連結されている。
【０００５】
このアシストフックを取付けた疑似餌を水中に沈め、ロッドの竿先を上下させたり、リールを巻いたりすることで、道糸を引いたり緩めたりし疑似餌を小魚が泳いでいるように動かして、魚食性の魚、例えばヒラマサ・ブリ・カンパチ・マグロ・カツオなどの回遊魚等の興味を引くようにする。そして、ロッドに当りがあった瞬間に竿先を上げて釣り針を魚の口に引掛ける、合わせと呼ばれる動作を行なう。この合わせによって釣り針が上手く魚の口に掛かったら、釣り針が魚の口から外れたり、道糸が切断しないように注意しつつリールを巻いて魚を釣上げるのである。
【０００６】
しかし、このようなアシストフックを取付けた疑似餌は、シャクリ動作の最中などにアシストフックが道糸や疑似餌に絡みつき、疑似餌のスムーズな動きを妨げる場合がある。そこで、このような絡みつきを防止するため、本体の表面に磁石を取付け、この磁石にアシストフックの釣り針を吸着させるようにした疑似餌が提案されている。このようにすれば、釣り針が疑似餌本体に保持された状態になるため、アシストフックが道糸や疑似餌に絡み付くことがなくなる。
【０００７】
なお、こうして磁石に吸着された釣り針は、魚が疑似餌を捕食しようと口の中に吸い込んだり、合わせ動作を行なったりすることで磁石から外れ魚の口に掛かるようになっている。
【特許文献１】特開平２００３−７９２７８号公報（第２〜４頁、第１〜３図）
【考案の開示】
【考案が解決しようとする課題】
【０００８】
しかしながら、疑似餌は引いた時の水切れが良く引き重りの軽いものが求められており、疑似餌の表面に磁石を設けてアシストフックの釣り針を吸着させていると、水中はゲル状に近い粘性があって流動性に乏しいため、疑似餌の表面に異物が付着した場合と同じような状態になって動きが悪くなり、ダート性能も低下して疑似餌本来の性能を十分に発揮できないことがある。ダートとは、疑似餌が道糸に引かれた状態から解放され水中を惰性で移動することを言い、ダート性能に優れている疑似餌ほどその移動距離が長い。
【０００９】
そこで本考案は、取付けたアシストフックが道糸や疑似餌に絡み付きにくく、性能を十分に発揮できる疑似餌を提供することを目的としている。
【課題を解決するための手段】
【００１０】
上記の課題を解決するため請求項１に記載の疑似餌は、合金鉛等の金属材料で形成されている細長い本体の前端部に、道糸や一端部に釣り針が取付けられた釣り糸の他端部を取付ける環状部が設けられ、前記本体の少なくとも一面に、前記釣り針を吸着可能な磁性体を、前記本体表面との段差をほぼ無くした状態で配設するとともに、前後方向に延びる細長い少なくとも２本の凸状部を、これらの間に前記磁性体の少なくとも一部が位置した状態になるように並べて配置した釣り針保持部を設け、前記釣り針を、前記磁性体の吸引力によって前記釣り針保持部に保持させることを特徴としている。
【００１１】
請求項１の疑似餌によれば、前記環状部に取付けられる前記一端部に釣り針が取付けられた釣り糸（アシストフック）の前記釣り針と、前記本体との間に隙間が設けられるため、水中で前記疑似餌を引いた場合、前記釣り針が前記本体の表面に沿う水の流れを妨げにくくなる。
【００１２】
しかも、前記釣り針を保持している前記釣り針保持部は、前記本体の前後方向、つまり前記疑似餌が水中で引かれる方向に延びる細長い前記凸状部で構成されているため、前記本体表面に沿う水の流れを妨げず後方へスムーズに導くことができ、前記アシストフックを取付けたことよって生じるダート性能の低下を抑えることができる。
【００１３】
なお、合金鉛等としているのは、例えばアルミやタングステンなどの金属材料を用いることもできるからである。
【００１４】
そして、魚が前記疑似餌を捕食しようとして、周囲の水と一緒に口の中に吸い込もうとすると、前記釣り針保持部で保持されている前記釣り針が、前記磁性体の吸引力に抗して前記釣り針保持部から外れ、自由に動く状態になるため針掛かりが良くなる。
【００１５】
請求項２に記載の疑似餌は、磁性体と釣り針保持部とを、本体の先端から中間部までの範囲に配設することを特徴としている。
【００１６】
この請求項２の疑似餌によれば、前記磁性体と前記釣り針保持部とを、前記本体の先端から中間部までの範囲に配設すると、この範囲で釣り針が保持されるようになるため、青物と呼ばれる回遊魚のうちブリ・カンパチ・ヒラマサ等の大型魚の針掛りを良くすることができる。
【００１７】
つまり、これらの大型魚は獲物を捕食する際、獲物を頭部側から飲み込もうとする習性があるため、前記釣り針を前記範囲に配設しておくと、前記疑似餌を捕食しようとアタックしてきた魚の口に前記釣り針が掛り易くなるからである。なお、前記範囲のうち好ましくは、前記本体の先端から全長の１／４〜１／３ぐらいまでの間が良い。
【００１８】
請求項３に記載の疑似餌は、合金鉛等の金属材料で形成されている細長い本体の前端部に、道糸や一端部に釣り針が取付けられた釣り糸の他端部を取付ける環状部が設けられ、前記本体の少なくとも一面に、前記釣り針を吸着可能な磁性体を、前記本体表面との段差をほぼ無くした状態で配設し、前記釣り糸の長さを、前記磁性体に吸引された前記釣り針が前記磁性体よりも前側に位置するように設定し、前記釣り針を、前記磁性体に吸引させその吸引力と前記釣り糸の張力とが釣合った状態で保持させることを特徴としている。
【００１９】
請求項３の疑似餌によれば、前記釣り針を、前記磁性体の吸引力と前記釣り糸の張力とが釣合った状態で保持させると、前記釣り針と前記本体との間に隙間を設けることができる。したがって前記疑似餌を水中で引いた場合、前記釣り針が前記本体の表面に沿う水流を妨げにくくなるため、ダート性能の低下も抑えることができ、疑似餌本来の動きをさせれるようになる。
【００２０】
前記釣り針は、前記釣り糸の張力と前記磁性体の吸引力との釣り合いによって保持されているため、魚が前記疑似餌を捕食しようと水と一緒に口の中に吸い込もうとすると、前記釣り針に作用している張力と吸引力とのバランスが崩れて拘束されなくなり、前記釣り針が自由に動ける状態になる。これにより、前記釣り針の針掛が良くなる。
【００２１】
請求項４の疑似餌は、釣り糸を、釣り針が本体の先端から中間部までの範囲で保持されるような長さに設定することを特徴としている。こうすると、前記釣り針が前記範囲で保持されるため、請求項２に記載の疑似餌と同様の作用を有するようになり、青物の大型魚の針掛かりを良くすることができる。
【００２２】
請求項５の疑似餌は、合金鉛等の金属材料で形成されている細長い本体の前端部に、道糸や一端部に釣り針が取付けられた釣り糸の他端部を取付ける環状部が設けられ、前記本体の少なくとも一面に、前後方向に延設され前端部から後端部まで連続している細長い凸状部を設け、この凸状部の少なくとも一部を磁性体で構成し、前記釣り針を、前記磁性体の吸引力によって前記凸状部で保持するか、或は前記磁性体の吸引力と前記釣り糸の張力との釣合いで保持することを特徴としている。
【００２３】
請求項５の疑似餌によれば、前記釣り針を、前記凸状部で保持するか、或は前記磁性体の吸引力と前記釣り糸の張力との釣合いで保持することで、前記釣り糸や前記釣り針が、前記疑似餌や前記道糸に絡み付きにくくなるし、前記釣り針と前記本体との接触を無くすか、或は少なくすることができるため、前記釣り針が前記本体の表面に沿う水の流れを阻害しにくくなる。
【００２４】
しかも、前記凸状部を前記本体の前端部から後端部まで設けたことで、前記本体の表面に沿う水の流れが前記凸状部に沿って後方へ導かれるようになって振れが抑えられて直進性が良くなる。これらのことから、前記釣り糸を取付けることで生じるダート性能の低下が少なく済み、疑似餌本来の性能を発揮させることができる。
【００２５】
請求項６の疑似餌は、前記磁性体を、前記釣り針が前記本体の先端から中間部までの範囲で保持される位置に設けることを特徴としている。こうすると、請求項２に記載の疑似餌と同様の作用を有するようになり、青物の大型魚の針掛かりを良くすることができる。
【考案の効果】
【００２６】
上述のような手段をもって為される本考案の疑似餌は、取付けたアシストフックが、道糸や疑似餌に絡まりにくくなるため、その絡みを直す手間が省けるし、アシストフックの釣り針や、釣り針保持部が、疑似餌の表面に沿う水の流れを妨げないため、疑似餌の水切りが良くなり、引き重りが軽く操作性に優れた疑似餌になる。
【００２７】
そしてアシストフックの釣り針や、釣り針保持部が、疑似餌の動きに影響を与えることがないため、ダート性能も低下することなく疑似餌本来の性能を発揮させることができて良く釣れるようになる。
【００２８】
さらに、釣り針を疑似餌本体の先端から中間部までの範囲で保持させるようにすれば、青物の大型魚の針掛かりがさらに良くなるので、大物をより確実にヒットさせることが可能になる。
【考案を実施するための最良の形態】
【００２９】
以下に、本考案にかかる疑似餌の実施形態について図１〜６を参照しつつ説明する。
【００３０】
図１は本実施形態の疑似餌（ジグ）１の左側面図（ａ）と右側面図（ｂ）と平面図（ｃ）を示しており、図２は右側面を前方斜め上方から見た斜視図（ａ）と、図１（ａ）におけるＡ−Ａ方向矢視の端面図（ｂ）、およびＢ−Ｂ方向矢視の端面図（ｃ）である。
【００３１】
本実施形態の疑似餌（以下、ジグともいう）１はジグ本体２が合金鉛で形成されており、図１と図２とに示すように、縦の断面形状が縦長になるように平たく形成され、且つ側面から見ると前端部と後端部との両方から中間部に向かって緩やかに高さが高くなる楕円形状に形成されている。
【００３２】
そして、ジグ本体２の一方の側面２ａは、全体が平坦な面に形成されており、中央部には、内側の形状が直方体状の凹部が形成され磁石取付部２ｂが設けられている。この磁石取付部２ｂには、その内側にちょうど納まるサイズの永久磁石３が、ジグ本体２の表面との段差をほぼなくした状態で取り付けられている。そして、側面２ａの上下縁部には、全長にわたり面取り加工が施されている。
【００３３】
また側面２ａには、ジグ本体２の磁石取付部２ｂの上下に、二本の細長い棒状の部材（凸状部）４ａ・４ａがそれぞれ、その長さ方向をジグ本体２の前後方向と一致させるとともに、磁石取付部２ｂの縁に沿って配置して釣り針保持部４が設けられている。釣り針保持部４を構成している各棒状の部材４ａ・４ａは、縦の断面形状が略矩形で、且つ外側の面、つまり側面２ａとは反対側の面を外方へ突出するように湾曲させた形状になっており、全長にわたって太さが一定になるように形成されている。
【００３４】
一方、ジグ本体２の他方の側面２ｃは、平面視中間部で厚みが最も厚くなるように、前端部と後端部との両側から中間部に向かって、徐々に幅を広げて形成するとともに、縦断面の形状を、高さ方向中央部で最も幅が広くなるように三角形状に形成した後、先端部から中間部にかけての高さ方向中央部に、縦断面形状が側面２ａとほぼ平行になる面２ｄを形成して、縦断面形状が先端部から中間部に向かって台形状から三角形状に徐々に変化するような形状になっている（図２（ｂ）・（ｃ）参照）。
【００３５】
ジグ本体２の前端部には、フロントアイと呼ばれている金属製の環状部５が設けられており、道糸を連結できるようになっている。またジグ本体２の後端部にも、同じような環状部６が設けられており釣り針を連結できるようになっている。
【００３６】
このように形成されているジグ１の環状部５に、図３に示すように、アシストフック１０と道糸１３とが取付けられる。詳しくは、環状部５に大径のスプリットリング８が１個取り付けられており、この大径のスプリットリング８に２個の小径のスプリットリング９・９が取付けられており、一方の小径のスプリットリング９には、アシストフック１０が取付けられている。
【００３７】
アシストフック１０は、１本針の釣り針１１に、アラミド繊維で編まれた高強度で低伸度、耐切創性等に優れたライン（釣り糸）１２の一端部を結び付けた糸付き針で、ライン１２の他端部で小径のスプリットリング９に取付けられて環状部５に連結されている。ライン１２は、ジグ本体２の全長の約半分程度の長さになっている。なお、ライン１２を環状部５に直接連結することもできるが、スプリットリング９を設けておくことで、ジグ本体２の動きやアシストフック１０の動きを良くすることができる。
【００３８】
なお、後端部の環状部６にも一本針の釣り針や三本針の釣り針を取付けることができるが、ダート性能が低下するなどの不都合が生じる場合があり取付けないことも多い。
【００３９】
次に、このジグ１の作用について説明する。
【００４０】
図３に示すようにして、アシストフック１０と道糸１３とを取付けたジグ１を、リールのブレーキを解除しスプールから道糸１３を繰出すことによって水中に沈める。道糸１３はロッドのガイドに通されたあと、ジグ１に取付けられている。ジグ１が目的の水深に達したところで、スプールのブレーキを元に戻し道糸１３が勝手に繰出されないようする。そして、ロッドの竿先を上下に動かしたり（シャクリ）、リールを巻いたり止めたりすることによって、ジグ１に様々な動きを与える。
【００４１】
この際、ジグ１は道糸１３にテンションが作用している状態、つまり道糸１３が引かれているときには、その引かれた方向に引張られて水中を移動するが、道糸１３が緩められて道糸にテンションが作用しなくなると、ジグ１は惰性で水中を移動するダートと呼ばれる動きをする。
【００４２】
ダートしているジグ１は、側面２ｃを下に向けた状態で斜め下方へ沈みながら移動するが、道糸１３に引張られた状態のジグ１は、側面２ｃを必ずしも下に向けた状態を維持しているわけではなく、側面２ｃの向きを上下左右および斜め方向に適当に変えながら移動している。
【００４３】
このようにして水中を移動しているジグ１は、アシストフック１０の釣り針１１が、永久磁石３の吸引力の作用する範囲内で、釣り針保持部４から離れたり、くっついたりしながら保持された状態になっている。
【００４４】
したがって、釣り針１１が道糸１３やジグ１に絡み付くことがなく、釣り針１１とジグ本体２との間には、少なくとも釣り針保持部４の棒状の部材４ａの高さ分だけ隙間が形成されているため、ジグ本体２の表面に沿う水流は、釣り針１１の影響を受けにくい状態になっている。
【００４５】
さらに、釣り針保持部４がジグ本体２の前後方向、つまり、ジグ１が水中で引かれる方向に設けられているため、ジグ本体２の表面に沿う水流に与える影響が少なく、ジグ１の動きを低下させるようなことがない。したがって、ジグ１はダート性能の低下が抑えられ、本来の性能を十分に発揮することができ、しかも引き重りが軽くて操作性にも優れている。
【００４６】
このジグ１に、青物の大型魚がアタックしてくると、大型魚はジグ１を前側から周囲の水と一緒に口の中に吸い込んで丸飲みしようとするため、その吸引力によって、釣り針１１が釣り針保持部４から外れた状態になる。そうすると、釣り針１１が永久磁石３に拘束されることなく自由に動く状態になるため、大型魚の当りに合わせたときに、釣り針１１が大型魚の口により確実に掛かるのである。なお、魚が最もヒットし易いタイミングは、ダート終了時でジグ１が水平の状態で止まったときである。
【００４７】
このように、ブリ・カンパチ・ヒラマサなどの青物の大型魚は、獲物を頭側から飲み込もうとする習性があるため、アシストフック１０の釣り針１１を、ジグ本体２の先端から中間部までの間で保持させていると、大型魚への針掛かりも良くなるため大物を釣上げれる確率が高くなる。
【００４８】
また、別の実施形態として、釣り針保持部４を省略することもできる。この実施形態のジグ１’は図４（ａ）に示すように、ジグ１の釣り針保持部４を省略するとともに、永久磁石３の位置を後方へ変更し、釣り針１１が永久磁石３の吸引力とライン１２の張力との釣合によって保持されるようにしたものである。そして、ライン１２の長さは、釣り針１１がジグ本体２’の中間部に位置するように設定されている。このように保持されている釣り針１１は、ジグ１’のジグ本体２’の側面２ａ’との間に僅かな隙間が設けられた状態になっている。
【００４９】
次に、ジグ１’の作用について説明すると、水中を動いているジグ１’は、図４（ｂ）に示すように、アシストフック１０の釣り針１１が、永久磁石３より前側で、ジグ本体２’の側面２ａ’から僅かに離れた位置で、ライン１２の張力と永久磁石３の吸引力とが釣合った状態で保持されるようになっている。
【００５０】
釣り針１１とジグ本体２’の側面２ａ’との間には隙間が設けられているため、ジグ本体２’の表面に沿う水の流れが妨げられずジグ１’の動きが鈍ることがない。したがって、ジグ１’はダート性能もあまり低下しておらず、本来の性能を十分に発揮することができ、引き重りが軽くて操作性にも優れている。なお、疑似餌１と同じものには同一の符号を付している。
【００５１】
そして、大型魚が捕食しようとしてジグ１’を口の中に吸い込もうとすると、ライン１２の張力と永久磁石３の吸引力とのバランスが崩れ、釣り針１１が永久磁石３の吸引力に拘束されなくなる。すると、釣り針１１は自由に動くようになり、大型魚の口に針が掛かり易い状態になるのである。
【００５２】
さらに別の実施形態のジグ１”は、図５と図６とに示すように、細長い本体２”の前端部と後端部とに環状部５”・６”がそれぞれ設けられており、前側の環状部５”に道糸１３とアシストフック１０を取付けれるようになっている。また後側の環状部６”には必要に応じて釣り針を取付けることができる。
【００５３】
ジグ本体２”は縦長の縦断面形状を有しており、一側面２ａ”は縦方向中央部を全長にわたり外側に突出させて縦断面が三角形状になるように形成されていて、他方の側面２ｃ”には上下方向中央部に、縦の断面が先端にやや丸みが設けられた横向きのＵ字状に形成されている凸状部４”（以下、キールとも言う）が前端から後端まで連続して設けられている。
【００５４】
このキール４”は、長さ方向中間部のやや前寄りの位置から前端に向かって高さが徐々に低くなるように形成されており、前端から全長の１／３ほど後側へさがった位置において、その一部が永久磁石３”になっている。
【００５５】
次に、このジグ１”の作用について説明する。なお上記実施例と同じものには同一の符号を用いている。
【００５６】
ジグ１”には、前側の環状部５”に大径のスプリットリング８を１つ連結し、この大径のスプリットリング８に小径のスプリットリング９を２つ連結して、小径のスプリットリング９の一方に道糸１３を取付け、もう一方にアシストフック１０を取付けている。そして、アシストフック１０の釣り針１１をキール４”の永久磁石３”の部分に吸着させており、永久磁石３”に吸着された釣り針１１は、ジグ本体２”の先端から全長の約１／３後端側に位置した状態になっている。
【００５７】
このジグ１”を水中に沈め、道糸１３を引いたり緩めたりしてダートさせながら水中を動かす。ダート中のジグ１”は、キール４”が設けられている側面２ｃ”を下に向けた状態で水中を移動する。疑似餌１”が水中で引かれている間、アシストフック１０の釣り針１１は、道糸１３が引かれて動き始めてからダート終了までは、永久磁石３”の吸引力が作用する範囲内で、キール４”から離れたり、キール４”にくっついたりしている（図６（ｂ）参照）。
【００５８】
こうして、釣り針１１が永久磁石３”の吸引力によってジグ本体２”の一側面で保持されたような状態になっているため、アシストフック１０が道糸１３やジグ本体２”に絡みつきにくくなっている。
【００５９】
またキール４”に吸着された釣り針１１は、キール４”によってジグ本体２”との間に隙間が設けられるようになり、ジグ本体２”の表面に沿う水の流れを阻害することがない。そして場合によっては、釣り針１１の針先の一部等がジグ本体２”の表面に接触することがあるが、接触している面積が小さいため、ジグ１”の動きに大きな影響を与えることはない。
【００６０】
図示はしないがジグ２”は、釣り針１１をキール４”の永久磁石３”に吸着させた状態になっているが、釣り針１１を、永久磁石３”に吸着することなくアシストフック１０のライン１２の張力と、永久磁石３”の吸引力との釣合いによって保持するようにしても良い。
【００６１】
また、上述したジグ２”は、主にブリ・カンパチ・ヒラマサなどの青物の大型魚を対象としており、ダート性を重視してジグ本体２”を長細い形状にしているが、図６（ｃ）に示すように、対象とする魚によっては、ジグ本体２”の全長を短くして中間部の縦方向の長さを長めにすることでダート性能を抑えて沈み易い形状にする場合もある。
【００６２】
なお、上記した３つの実施形態の疑似餌は、ジグにアシストフックを１本だけ取付けているが、これに限るものではなく、アシストフックを複数本取付けることもできるが、バランス等を考慮すると２本ぐらいまでが好ましい。また、他の面にも同じようにして永久磁石を配置し、複数のアシストフックを別々の永久磁石にそれぞれ吸着させるようにしても良い。
【００６３】
永久磁石３として例えばネオジウム磁石を用いることができ、一つ目と二つ目の実施形態の疑似餌において永久磁石３は直方体形状のものを用いているが、円柱形状などの他の形状にしても問題はなく、また、磁石取付部を設けて埋め込むようにしなくても、厚みの薄いシート状の永久磁石をジグ本体の表面に貼り付けるようにしても良い。
【００６４】
また、一つ目の実施形態の疑似餌では、棒状の部材を磁石取付部の上側と下側とに配置しているが、釣り針保持部は、釣り針とジグ本体との間に隙間を設けることができ、且つジグ表面に沿う水流を妨げなければ良いため、例えば、棒状の部材を、永久磁石を跨ぐようにして配置することもできるし、その数も３本以上に増やすこともできる。
【図面の簡単な説明】
【００６５】
【図１】（ａ）は本考案にかかる疑似餌の左側面図で、（ｂ）は右側面図、（ｃ）は平面図である。
【図２】（ａ）は図１の疑似餌の右側面を、前方斜め上方から見た斜視図で、（ｂ）は図１におけるＡ−Ａ方向矢視の端面図で、（ｃ）は図１におけるＢ−Ｂ方向矢視の端面図である。
【図３】本考案にかかる疑似餌にアシストフックと道糸とを取付けた状態の右側面を、後方斜め上から見た斜視図である。
【図４】本考案にかかる疑似餌の別の実施形態を示す説明図で、アシストフックと道糸とを取付けた状態を、疑似餌の左側面を後方斜め上から見た斜視図（ａ）と、疑似餌が水中で引張られている状態を示す平面図（ｂ）である。
【図５】本考案にかかる疑似餌のさらに別の実施形態を示しており、（ａ）は右側面図、（ｂ）は左側面図、（ｃ）は（ａ）におけるＣ−Ｃ矢視断面図である。
【図６】（ａ）は図５に示した疑似餌に道糸とアシストフックとを取付けて水中で動かした状態を表している右側面をやや後方斜め上から見た斜視図で、（ｂ）はその場合の釣り針と永久磁石との位置関係を示す断面図である。（ｃ）は（ａ）に示した疑似餌のジグ本体の前後方向の長さと縦方向の長さとのバランスを変更した疑似餌の右側面図である。
【符号の説明】
【００６６】
１          疑似餌
２          疑似餌本体
２ａ・２ｃ  側面
２ｂ        磁石取付部
３          永久磁石
４          釣り針保持部
４ａ        棒状の部材（凸状部）
５・６      環状部
８          大径のスプリットリング
９・９      小径のスプリットリング
１０        アシストフック
１１        釣り針
１２        ライン
１３        道糸
【図１】
0003108153.tif 000003
【図２】
0003108153.tif 000004
【図３】
0003108153.tif 000005
【図４】
0003108153.tif 000006
【図５】
0003108153.tif 000007
【図６】
0003108153.tif 000008